(57)【要約】【課題】遮光部材の薄板化を図りながら、強度および外観を向上させる。【解決手段】一対の対向部２を有する反射板１と、対向部２に取付けられる略板状の遮光部材３とを備えた照明器具において、遮光部材３の板厚が少なくとも２種類以上の厚みとなるように、板厚の厚い部分７と薄い部分とを設けた。このような構成によれば、強度および外観を低下させることなく遮光部材３の薄板化を図ることができる。すなわち、板厚の厚い部分７により強度を極端に低下させることがなく、薄板化を行なった場合に変形などの問題が起こり難い。また、遮光部材３の板厚の厚い部分７が最下端に設けられた場合、遮光部材表面の状態が中間で変わることがないことにより配光制御に影響がない。また、器具取付状態において見上げた場合、遮光部材３の板厚が厚い部分７が見えるので薄板化によって重厚感を損なわない。【選択図】        図１
2005011756.tif 000002
【特許請求の範囲】
【請求項１】
一対の対向部を有する反射板と、前記対向部に取付けられる略板状の遮光部材とを備えた照明器具において、前記遮光部材の板厚が少なくとも２種類以上の厚みとなるように、板厚の厚い部分と薄い部分とを設けたことを特徴とする照明器具。
【請求項２】
遮光部材の板厚の厚い部分が最下端に設けられた請求項１記載の照明器具。
【請求項３】
遮光部材の板厚の薄い部分と板厚の厚い部分との境界に圧入部を設け、前記圧入部を前記板厚の薄い部分よりも遮光部材の長手方向に突出させるとともに、突出した前記圧入部が圧入固定される略細長穴を反射板の対向部に設けた請求項２記載の照明器具。
【請求項４】
反射板は、一対の対向部の両端に対向部に略直交して互いに対向して取付けられる一対の配光制御部材を有し、前記対向部と前記配光制御部材のうちいずれか一方に設けた突片に挿入穴を設け、他方に設けた爪部を前記挿入穴に挿入し、前記突片と前記爪部を互いに折り曲げて締結した請求項１記載の照明器具。
【請求項５】
反射板は、一対の対向部の両端に対向部に略直交して互いに対向して取付けられる一対の配光制御部材と、前記対向部と前記配光制御部材の結合部の非反射面側で略同一面となる位置にまたがるように配置される略板状のそえ板とを有し、前記そえ板に弾性部を切り起こして設け、前記対向部あるいは前記配光制御部材に、前記弾性部に接触する突部を突出形成した請求項１記載の照明器具。
【発明の詳細な説明】
【０００１】
【発明の属する技術分野】
この発明は、ルーバ付きの照明器具に関するものである。
【０００２】
【従来の技術】
図１０〜図１４は従来例の照明器具を示す。図１０および図１１に示すように、この照明器具は、ルーバを形成する一対の対向部５１を有する反射板５０と、対向部５１に取付けられる略板状の遮光部材５２とを備えている。遮光部材５２の板厚は各部分で一定であるため、コスト削減などにより薄板化を行なう場合に強度が低下して変形の原因となり（図１１（ｂ））、取付状態で板厚５２ａが見えるため重厚感がなくなるなどの問題があった（図１０）。
【０００３】
また、遮光部材５２の外周を形成する反射板５０の対向部５１と、これに略直交して配置される配光制御部材５５との締結は、図１２に示すように、一方に設けた爪５７を他方に設けた溝５６に差し込み、曲げただけのものであり、強度的に不十分である。そのため、図１３に示すように、遮光部材５２の長手方向に突出した端部を対向部５１に設けた角穴５８に差し込み後、裏側でかしめ締結していた。さらに、図１４に示すように、そえ板５９を用いてかしめ部６１を曲げて固定し、あるいはリベット６０で締結するなどして強度を確保していたが、組み立て工数が増える結果となっていた。
【０００４】
また、上部側の板厚が薄く下部側の板厚が厚い断面形状を有する遮光部材を備えた開示技術がある（例えば、特許文献１参照）。さらに、遮光部材の上下方向に下方に臨む複数の段部を設けて、板厚の厚い部分を最上段に設けた開示技術もある（例えば、特許文献２参照）。
【０００５】
【特許文献１】
特開平５−２９０６０９号公報
【特許文献２】
特開平４−１１２４０５号公報
【０００６】
【発明が解決しようとする課題】
上記のように従来例では、遮光部材の板厚は各部分で一定であるため、薄板化を行なう場合に強度が低下して変形の原因となり、また重厚感がなくなるなどの外観上の問題があった。
【０００７】
また、特許文献１，２に示された開示技術では、遮光部材の上端または下端が厚くなるように板厚を変化させたものであるが、テーパ状となっているため、板厚の厚い部分を大きくして強度および重厚感を向上させると、全体に厚くなり薄板化を図ることができなかった。
【０００８】
したがって、この発明の目的は、遮光部材の薄板化を図りながら、強度および外観を向上させることができる照明器具を提供することである。
【０００９】
【課題を解決するための手段】
上記課題を解決するためにこの発明の請求項１記載の照明器具は、一対の対向部を有する反射板と、前記対向部に取付けられる略板状の遮光部材とを備えた照明器具において、前記遮光部材の板厚が少なくとも２種類以上の厚みとなるように、板厚の厚い部分と薄い部分とを設けた。
【００１０】
このような構成によれば、強度および外観を低下させることなく遮光部材の薄板化を図ることができる。すなわち、板厚の厚い部分により強度を極端に低下させることがなく、薄板化を行なった場合に変形などの問題が起こり難い。
【００１１】
請求項２記載の照明器具は、請求項１記載の照明器具において、遮光部材の板厚の厚い部分が最下端に設けられた。このような構成によれば、遮光部材表面の状態が中間で変わることがないことにより配光制御に影響がない。また、器具取付状態において見上げた場合、遮光部材の板厚が厚い部分が見えるので薄板化によって重厚感を損なわない。
【００１２】
請求項３記載の照明器具は、請求項２記載の照明器具において、遮光部材の板厚の薄い部分と板厚の厚い部分との境界に圧入部を設け、前記圧入部を前記板厚の薄い部分よりも遮光部材の長手方向に突出させるとともに、突出した前記圧入部が圧入固定される略細長穴を反射板の対向部に設けた。このような構成によれば、圧入による遮光部材の固定が行なえ、組み立て工数を削減できる。
【００１３】
請求項４記載の照明器具は、請求項１記載の照明器具において、反射板は、一対の対向部の両端に対向部に略直交して互いに対向して取付けられる一対の配光制御部材を有し、前記対向部と前記配光制御部材のうちいずれか一方に設けた突片に挿入穴を設け、他方に設けた爪部を前記挿入穴に挿入し、前記突片と前記爪部を互いに折り曲げて締結した。このような構成によれば、締結は反射板の裏側で行われ、反射板の外観を低下させることなく、突片と爪部の双方を曲げることで確実な締結が行える。
【００１４】
請求項５記載の照明器具は、請求項１記載の照明器具において、反射板は、一対の対向部の両端に対向部に略直交して互いに対向して取付けられる一対の配光制御部材と、前記対向部と前記配光制御部材の結合部の非反射面側で略同一面となる位置にまたがるように配置される略板状のそえ板とを有し、前記そえ板に弾性部を切り起こして設け、前記対向部あるいは前記配光制御部材に、前記弾性部に接触する突部を突出形成した。
【００１５】
このような構成によれば、突部が弾性部に接触するように差し込まれることで、弾性によりそえ板が押さえられ、結合部の強度を確保することができる。この場合、従来のようにかしめのための切欠きなどが不要であり、反射板裏側で爪部と弾性部が接触による締結が行われるため、外観を低下させることがない。
【００１６】
【発明の実施の形態】
この発明の第１の実施の形態を図１〜図４に基づいて説明する。図１は本発明の第１の実施形態の照明器具を見上げた斜視図、図２（ａ）は照明器具の全体斜視図、（ｂ）はそのルーバの斜視図、図３（ａ）〜（ｅ）は本発明の第１の実施形態において遮光部材の例を示す断面図である。
【００１７】
図１および図２に示すように、一対の対向部２を有する反射板１と、対向部２に取付けられる略板状の遮光部材３とを備えている。また、反射板１は、一対の対向部２の両端に対向部２に略直交して互いに対向して取付けられる一対の配光制御部材４を有する。反射板１および遮光部材３等からなるルーバは仮吊紐５を用いて器具本体６に取付けられる。この構成において、遮光部材３の板厚が少なくとも２種類以上の厚みとなるように、板厚の厚い部分である厚板部７とそれ以外の板厚の薄い部分とを設けている（図２において厚板部は図示せず）。
【００１８】
この場合、図３（ａ）に示すように、遮光部材３の板厚の薄い部分は、下向きの傾斜面と段部を上下方向に交互に形成したもので、その最下端に厚板部７が設けられている。これにより、遮光部材３表面の状態（反射状態）が上下方向の中間で変わることがないので配光制御に影響がなく、また外観もよい。また、器具取付状態において見上げた場合、遮光部材３の板厚が厚い部分が見えるので薄板化によって重厚感を損なわない効果がある。厚板部７は断面四角形等で、遮光部材３の厚みの中心から均等に突出するように設けているが、図３（ｂ）に示すように、片側にのみ突出するように設けてもよい。この場合、もう片側の表面状態を従来と全く変えることがない。さらに、厚板部７は、遮光部材３の任意の位置に設けてもよい。すなわち、図３（ｃ）は中央に厚板部７を設けた場合、（ｄ）は最上端に厚板部７を設けた場合、（ｅ）は厚板部７を複数箇所設けた場合を示す。
【００１９】
最上端に厚板部７を設けた場合には、図４に示すように、最下端に厚板部７を設けた場合と同様に遮光部材３表面の状態が中間で変わることがないので配光制御に影響がない。また、ルーバの仮吊紐５の引っ掛け部８は、通常遮光部材３の上端近くに設けるため、厚板部７を最上端に設けることで、さらに強度低下を補うことができる。
【００２０】
なお、本実施形態では遮光部材３の板厚を２種類とし厚板部７を部分的に設けたことで、遮光部材３の薄板化を十分に図ることができる。また、厚板部７のみを遮光部材３の長手方向に突出させてもよい。
【００２１】
この発明の第２の実施の形態を図５および図６に基づいて説明する。図５（ａ）は本発明の第２の実施形態の照明器具において遮光部材の正面図、（ｂ）は断面図、図６はその遮光部材の取付説明図である。
【００２２】
図５に示すように、遮光部材３の厚板部７が最下端に設けられた構成において、遮光部材３の板厚の薄い部分と厚板部７との境界に圧入部１０を設けている。遮光部材３の板厚の薄い部分の厚さをｔ１、厚板部７の厚さをｔ２、圧入部１０の厚さをｔ３とすると、ｔ１＜ｔ３＜ｔ２である。また、厚板部７と圧入部１０を板厚の薄い部分よりも遮光部材３の長手方向に突出させるとともに、図６に示すように、突出した圧入部１０が圧入固定される略細長穴１１を反射板１の対向部２に設けている。また、略細長穴１１は、遮光部材３の板厚の薄い部分を挿入固定するものであり、これを圧入部１０に対応する位置に設けたものである。略細長穴１１の幅はｔ１より大きくｔ２より小さくすることで、圧入による遮光部材３の固定が行なえ、従来のかしめに比較して組み立て工数を削減できる。また、上記のように厚板部７と圧入部１０を突出させることで、圧入時の差し込み距離を小さくでき、圧入がより容易なものとなる。この際、厚板部７が大きいため、位置決め、行き過ぎ防止の機能をもたせることもできる。その他の構成は、第１の実施形態と同様である。
【００２３】
この発明の第３の実施の形態を図７および図８に基づいて説明する。図７は本発明の第３の実施形態の照明器具において反射板の結合部の説明図である。同図は図２（ｂ）のＡ部に相当する。
【００２４】
図７に示すように、反射板１は、対向部２と配光制御部材４のうちいずれか一方に設けた突片１２に挿入穴１３を設け、他方に設けた爪部１４を挿入穴１３に挿入し、突片１２と爪部１４を互いに折り曲げて締結している。この場合、爪部１４の周囲に位置決め部１５を設け、爪部１４を挿入穴１３に挿入した状態で突片１２が位置決め部１５に位置決めされる。締結は反射板１の裏側で行われ、反射板１の外観を低下させることなく、突片１２と爪部１４の双方を曲げることで確実な締結が行えるものである。
【００２５】
また、図８に示すように、爪部１４を反射板１の軸に対して傾けて形成することで、折り曲げ後の爪部１４を部材端部に対し鋭角θに締結することができる。すなわち、爪部１４が斜めに挿入穴１３に挿入されることで抜け難く、また、点で力を受けるため変形し難くがたつきを低減することができる。その他の構成は、第１の実施形態と同様である。
【００２６】
この発明の第４の実施の形態を図９に基づいて説明する。図９（ａ）は本発明の第４の実施形態の照明器具において反射板の結合部の説明図、（ｂ）はその断面図である。同図は図２（ｂ）のＢ部に相当する。
【００２７】
図９に示すように、反射板１は、対向部２と配光制御部材４の結合部の非反射面側で略同一面となる位置にまたがるように配置される略板状のそえ板１７を有とする。そえ板１７に弾性部１８を切り起こして設け、対向部２あるいは配光制御部材４に、弾性部１８に接触する突部１９を突出形成している。
【００２８】
この場合、そえ板１７は略Ｌ形の平板状である。対向部２と配光制御部材４のフランジ２ａ，４ａは略溝形に形成され、そえ板１７の両側部に対して各フランジ２ａ，４ａが位置決めされた状態で差し込まれる。このとき、対向部２に設けた突部１９が弾性部１８に接触するように差し込まれることで、弾性によりそえ板１７が押さえられ、また、弾性部１８の上端が突部１９に引っ掛かり戻りを防止し、容易な作業で従来と同等の機能を有することができる。すなわち、従来例（図１４）のようなかしめのための切欠きなどが不要であり、締結は反射板１の裏側で行えるため、外観を低下させることがない。その他の構成は、第１の実施形態と同様である。
【００２９】
また、第３，４の実施形態を合わせることで、第１または第２の実施形態においてルーバ組み立て状態での強度を低下させることなく、遮光部材３の薄板化が可能となる。
【００３０】
【発明の効果】
この発明の請求項１記載の照明器具によれば、遮光部材の板厚が少なくとも２種類以上の厚みとなるように、板厚の厚い部分と薄い部分とを設けたので、強度および外観を低下させることなく遮光部材の薄板化を図ることができる。すなわち、板厚の厚い部分により強度を極端に低下させることがなく、薄板化を行なった場合に変形などの問題が起こり難い。
【００３１】
請求項２では、遮光部材の板厚の厚い部分が最下端に設けられたので、遮光部材表面の状態が中間で変わることがないことにより配光制御に影響がない。また、器具取付状態において見上げた場合、遮光部材の板厚が厚い部分が見えるので薄板化によって重厚感を損なわない。
【００３２】
請求項３では、遮光部材の板厚の薄い部分と板厚の厚い部分との境界に圧入部を設け、圧入部を板厚の薄い部分よりも遮光部材の長手方向に突出させるとともに、突出した圧入部が圧入固定される略細長穴を反射板の対向部に設けたので、圧入による遮光部材の固定が行なえ、組み立て工数を削減できる。
【００３３】
請求項４では、反射板は、一対の対向部の両端に対向部に略直交して互いに対向して取付けられる一対の配光制御部材を有し、対向部と配光制御部材のうちいずれか一方に設けた突片に挿入穴を設け、他方に設けた爪部を挿入穴に挿入し、突片と爪部を互いに折り曲げて締結したので、この締結は反射板の裏側で行われ、反射板の外観を低下させることなく、突片と爪部の双方を曲げることで確実な締結が行える。
【００３４】
請求項５では、反射板は、一対の対向部の両端に対向部に略直交して互いに対向して取付けられる一対の配光制御部材と、対向部と配光制御部材の結合部の非反射面側で略同一面となる位置にまたがるように配置される略板状のそえ板とを有し、そえ板に弾性部を切り起こして設け、対向部あるいは配光制御部材に、弾性部に接触する突部を突出形成したので、突部が弾性部に接触するように差し込まれることで、弾性によりそえ板が押さえられ、結合部の強度を確保することができる。この場合、従来のようにかしめのための切欠きなどが不要であり、反射板裏側で爪部と弾性部が接触による締結が行われるため、外観を低下させることがない。
【図面の簡単な説明】
【図１】本発明の第１の実施形態の照明器具を見上げた斜視図である。
【図２】（ａ）は本発明の第１の実施形態の照明器具の全体斜視図、（ｂ）はそのルーバの斜視図である。
【図３】本発明の第１の実施形態において遮光部材の例を示す断面図である。
【図４】本発明の第１の実施形態において最上端に厚板部がある遮光部材を示す断面図である。
【図５】（ａ）は本発明の第２の実施形態の照明器具において遮光部材の正面図、（ｂ）は断面図である。
【図６】本発明の第２の実施形態において遮光部材の取付説明図である。
【図７】本発明の第３の実施形態の照明器具において反射板の結合部の説明図である。
【図８】本発明の第３の実施形態の照明器具において反射板の結合部の他の例を示す説明図である。
【図９】（ａ）は本発明の第４の実施形態の照明器具において反射板の結合部の説明図、（ｂ）はその断面図である。
【図１０】従来例の照明器具を見上げた斜視図である。
【図１１】従来例の問題点を示す説明図である。
【図１２】従来例において反射板の結合部の説明図である。
【図１３】従来例において遮光部材の取付説明図である。
【図１４】従来例において反射板の結合部の説明図である。
【符号の説明】
１  反射板
２  対向部
３  遮光部材
４  配光制御部材
５  仮吊紐
６  器具本体
７  厚板部
１０  圧入部
１１  略細長穴
１２  突片
１３  挿入穴
１４  爪部
１７  そえ板
１８  弾性部
１９  突部
【図１】
2005011756.tif 000003
【図２】
2005011756.tif 000004
【図３】
2005011756.tif 000005
【図４】
2005011756.tif 000006
【図５】
2005011756.tif 000007
【図６】
2005011756.tif 000008
【図７】
2005011756.tif 000009
【図８】
2005011756.tif 000010
【図９】
2005011756.tif 000011
【図１０】
2005011756.tif 000012
【図１１】
2005011756.tif 000013
【図１２】
2005011756.tif 000014
【図１３】
2005011756.tif 000015
【図１４】
2005011756.tif 000016